(57)【要約】【課題】音の静かな酸素供給装置のついたコンピュータを実現する。【解決手段】酸素イオン導電性を有する温度に加熱され、かつ電極間に電圧が印加される固体電解質膜により高濃度酸素を含む空気を生成する酸素発生手段４を有し、この酸素発生手段をコンピュータの筐体３内に収納した酸素供給装置付きコンピュータで、高濃度の酸素の発生に音が静かで、かつコンピュータ入力による疲労を、高濃度の酸素放出によって低減する。【選択図】図１
2007034454.tif 000002
【特許請求の範囲】
【請求項１】
酸素イオン導電性を有する温度に加熱され、かつ電極間に電圧が印加される固体電解質膜により高濃度酸素を含む空気を生成する酸素発生手段を有し、この酸素発生手段をコンピュータの筐体内に収納した酸素供給装置付きコンピュータ。
【請求項２】
酸素発生手段は、コンピュータの筐体から取り出し可能とした請求項１に記載の酸素供給装置付きコンピュータ。
【請求項３】
酸素発生手段は、コンピュータの音声入力手段であるマイク部に酸素放出穴を有する請求項１または２に記載の酸素供給装置付きコンピュータ。
【請求項４】
酸素発生手段は、コンピュータの表示手段としてのディスプレー部に酸素放出穴を有する請求項１または２に記載の酸素供給装置付きコンピュータ。
【請求項５】
酸素発生手段は、コンピュータの入力手段であるキイボードのキイ入力操作で酸素の放出開始を操作する請求項１〜４のいずれか１項に記載の酸素供給装置付きコンピュータ。
【請求項６】
酸素発生手段は、その酸素放出開始をコンピュータのキイボードに酸素関連のキイワードを入力することによって行なう請求項１〜５のいずれか１項に記載の酸素供給装置付きコンピュータ。
【請求項７】
酸素発生手段は、コンピュータに一定時間入力操作が行なわれないと酸素放出を停止する請求項１〜６のいずれか１項に記載の酸素供給装置付きコンピュータ。
【請求項８】
酸素発生手段は、タイマー手段を有し、一定の間隔で間欠的に酸素を放出する請求項１〜７のいずれか１項に記載の酸素供給装置付きコンピュータ。
【請求項９】
酸素発生手段は、コンピュータのスクリーンセイバーと連動し、前記スクリーンセイバー動作時に酸素を放出する請求項１〜８のいずれか１項に記載の酸素供給装置付きコンピュータ。
【請求項１０】
酸素発生手段は、コンピュータのスクリーンセイバーと連動し、前記スクリーンセイバーが一定時間以上動作すると酸素の放出を停止する請求項８または９に記載の酸素供給装置付きコンピュータ。
【請求項１１】
酸素発生手段は、コンピュータのディスプレイの前の人体検出手段を有し、人体を検出しなくなった時には酸素の放出を停止する請求項１〜１０のいずれか１項に記載の酸素供給装置付きコンピュータ。
【発明の詳細な説明】
【技術分野】
【０００１】
本発明は酸素を供給する酸素供給装置を備えたコンピュータの構成に関するものである。
【背景技術】
【０００２】
従来の酸素供給装置（例えば特許文献１参照）は図１１に示すように酸素富化膜１０１と呼ばれる厚さ０．１マイクロメートル程度のシリコン製膜の両側に１／４気圧程度の気圧差を与える構成としている。その原理は、大気中の酸素１０２ならびに窒素分子１０３は酸素富化膜１０１に溶解し、酸素富化膜１０１膜内を拡散、減圧側から再び析出する。ここで酸素分子の酸素富化膜１０１に溶解するスピードは窒素分子の２．５倍もあるために減圧側には酸素濃度が高まった空気が得られるというものであった。しかしながら、上記のシリコン製膜の両側に気圧差を与えるのはコンプッサーやポンプ（図示せず）であり、その動作時に発生する騒音は、静音化を図っているもののコンピュータ作業時には耳障りなものであった。
【特許文献１】特開昭６２−１２５８２３号公報
【発明の開示】
【発明が解決しようとする課題】
【０００３】
しかしながら、上記のシリコン製膜の両側に気圧差を与えるのはコンプッサーやポンプであり、その動作時に発生する騒音は、コンピュータ自体の静音化も求められている昨今にあっては耳障りなものであった。
【０００４】
上記従来の問題点に鑑み、本発明が解決しようとする課題は、酸素供給装置ついておっても音の静かなコンピュータを提供することにある。
【課題を解決するための手段】
【０００５】
上記課題を解決するために、本発明の酸素供給装置付きコンピュータは、酸素イオン導電性を有する温度に加熱され、かつ電極間に電圧が印加される固体電解質膜により高濃度酸素を含む空気を生成する酸素発生手段を有し、この酸素発生手段をコンピュータの筐体内に収納したものであり、静音化を図ることができ、かつコンピュータ作業時に酸素発生器を併用することにより、疲れの速やかな改善を図ることが可能となる。
【発明の効果】
【０００６】
本発明の酸素供給装置付きコンピュータは、音の静かな酸素供給装置をコンピュータに設置し、高濃度酸素を供給してコンピュータ作業時の疲れを癒し、さらにコンピュータ作業の効率化を図ることができる。
【発明を実施するための最良の形態】
【０００７】
第１の発明は、酸素イオン導電性を有する温度に加熱され、かつ電極間に電圧が印加される固体電解質膜により高濃度酸素を含む空気を生成する酸素発生手段を有し、この酸素発生手段をコンピュータの筐体内に収納したものであり、静音化を図ったものである。
第２の発明は、特に第１の発明の酸素発生手段を、コンピュータの筐体から取り出し可能としたものであり、酸素発生手段の単独での使用が可能となる。
【０００８】
第３の発明は、特に第１の発明または第２の発明の酸素発生手段を、コンピュータの音声入力手段であるマイク部に酸素放出穴を有するようにしたものであり、音声入力手段に
酸素放出穴を設けることによってより高濃度の酸素を使用者に供給することが可能になる。
【０００９】
第４の発明は、特に第１の発明または第２の発明の酸素発生手段を、コンピュータの表示手段としてのディスプレイ部に酸素放出穴を有するようにしたものであり、ディスプレイを長時間見て疲れた眼の疲労回復に効果がある。
【００１０】
第５の発明は、特に第１〜第４のいずれか１つの発明の酸素発生手段を、コンピュータの入力手段であるキイボードのキイ入力操作で酸素の放出開始を操作するようにしたものであり、使い勝手を良くすることが可能である。
【００１１】
第６の発明は、特に第１〜第５のいずれか１つの発明の酸素発生手段において、酸素放出開始をコンピュータのキイボードに酸素関連のキイワードを入力することによって行なうようにしたものであり、他人の操作を禁止することも可能である。
【００１２】
第７の発明は、特に第１〜第６のいずれか１つの発明の酸素発生手段を、コンピュータに一定時間入力操作が行なわれないと酸素放出を停止するようにしたものであり、電力の無駄を防ぐことができる。
【００１３】
第８の発明は、特に第１〜第７のいずれか１つの発明の酸素発生手段において、タイマー手段を有し、一定の間隔で間欠的に酸素を放出するものであり、電力の無駄を防ぐことができる。
【００１４】
第９の発明は、特に第１〜第８のいずれか１つの発明の酸素発生手段を、スクリーンセイバーと連動し、前記スクリーンセイバーの動作時に酸素を放出するようにしたものであり、作業能率が下がった時に酸素を放出し、作業効率を上げることができる。
【００１５】
第１０の発明は、特に第１〜第９のいずれか１つの発明の酸素発生手段を、スクリーンセイバーと連動し、前記スクリーンセイバーが一定時間以上動作すると酸素の放出を停止するようにしたものであり、スクリーンセイバーの動きから人がいないことを検出して酸素の放出を停止するものであり、電力の無駄を防ぐことができる。
【００１６】
第１１の発明は、特に第１〜第１０のいずれか１つの発明の酸素発生手段において、コンピュータのディスプレイ前の人体検出手段を有し、人体を検出しなくなった時には酸素の放出を停止するようにしたものであり、ディスプレイの前に人がいる、いないを判定して酸素の放出を停止することから、電力の無駄を防ぐことができる。
【００１７】
以下、本発明の実施の形態について、図面を参照しながら説明する。なお、この実施の形態によって本発明が限定されるものではない。また、本実施の形態の説明において、同一構成並びに作用効果を奏するところには同一符号を付して重複した説明を行わないものとする。
【００１８】
（実施の形態１）
図１は本発明の第１の実施の形態における酸素供給装置付きコンピュータを示す構成図である。また図２は同コンピュータに備えた酸素発生手段の断面図である。図１において、演算手段（図示せず）や記憶手段（図示せず）が収納されているコンピュータの筐体３内部に酸素発生手段４が収納されており、そこで発生した酸素はパイプ５で酸素放出穴６へ導かれ、入力手段であるキイボード７や表示手段であるディスプレイ８を使う作業者９へ酸素を供給するしくみになっている。
【００１９】
ここで、酸素発生手段４を説明すると、図２に示すように固体電解質膜１０の表裏に、蒸着又は印刷によって設置された電極としての白金電極１１、１２間に直流電源１３から直流電圧が印加され、また固体電解質膜１０が酸素イオン導電性を有するよう温度を４００℃程度に保つためのヒータ１４が設置されている。固体電解質膜１０により、酸素発生手段４内は、正の電圧が印加されたカソード側隔室１５と反対側のアノード側隔室１６に隔てられている。カソード側隔室１５では、入口１７から通常、大気が送り込まれる。固体電解質膜１０と電極１１の境界面では、酸素分子が電子をもらって酸素イオンとなって固体電解質膜１０の中に入っていく。すなわち、１／２Ｏ２＋２ｅ−→Ｏ２−の反応が起きる。
【００２０】
一方、アノード側隔室１６の固体電解質膜１０と電極１２の境界面では、固体電解質膜１０を通ってきた酸素イオンが電子を放出し再び酸素分子となって、大気中にでてくる。すなわち、Ｏ２−→１／２Ｏ２＋２ｅ−の反応が起きる。
【００２１】
ここで、窒素分子は固体電解質膜１０内部を通過できないので、アノード側隔室１６は酸素分子が多い高濃度酸素状態になる。カソード側隔室１５とアノード側隔室１６の間の密閉度を向上させると原理的には、アノード側隔室１６は酸素濃度１００％の状態を実現できる。高濃度酸素は、出口１８からパイプ５へ導かれ、酸素放出穴６から作業者９に供給される。
【００２２】
このような酸素発生手段４は、固体電解質膜１０の両端に電圧を印加するだけで酸素発生の目的を達することができ、酸素富化膜のように減圧用のポンプやコンプレッサなどの騒音の発生源を必要としない。従って、コンピュータ作業を静かな環境で行なうことができ、コンピュータの静音化が進んでいる昨今のパーソナルコンピュータにも対応した、騒音のない、しかも高濃度の酸素を作業者９が吸引して入力作業で疲れた体をいやしリフレッシュできる環境を整えるという目的を達することができる。
【００２３】
図３は本発明の実施の形態１における酸素供給装置付きコンピュータの他の例の構成図である。酸素発生手段４は、筐体３の前面から出し入れ自在に設置してある。従って、コンピュータ作業以外の場所にでも持ち運んで使用することができ、利用範囲を広げることができる。
【００２４】
図４は本発明の実施の形態１における酸素供給装置付きコンピュータの酸素放出穴６の他の例の構成図である。コンピュータは、その音声の入力手段であるマイク部１９に酸素放出穴６を取り付け、使用者に装着できるようにしたものである。このようにマイク部１９に酸素放出穴６を取り付けることによって作業者９の口や鼻に近い部分に効率的に酸素を供給することができる。また、酸素の供給が静音環境で行なわれるので、ノイズなどで音声入力に支障をきたすこともない。
【００２５】
図５は本発明の実施の形態１における酸素供給装置付きコンピュータの酸素放出穴６の他の例の構成図である。酸素発生手段４はディスプレイ８の前面に、酸素放出穴６が設置され、ディスプレイ８に眼を近づける作業者９に酸素を供給することから作業者９の眼精疲労を低減する効果がある。
【００２６】
図６は本発明の実施の形態１における酸素供給装置付きコンピュータで、酸素発生手段４の動作の制御入力をするキイボード７の他の例の構成図で、図示されていないコンピュータおよび酸素発生手段４の基本的な部分は図１に示す構成と同じなので、これを利用して説明する。コンピュータはキイボード７の「Ａｉｒ」キイ２０を操作することにより、酸素発生手段４の動作を開始、停止を指示することができる。このようにキイボード７上に酸素発生手段４の操作キイを設定することにより、コンピュータ周辺機器として酸素発
生手段４を操作することができ、操作性も良くなる。
【００２７】
図７も本発明の実施の形態１における酸素供給装置付きコンピュータであって、酸素発生手段４の動作の制御入力をするキイボード７の他の例の構成図で、図示されていないコンピュータおよび酸素発生手段４の基本的な部分は図１に示す構成と同じなので、これを利用して説明する。
【００２８】
図７において、図６との違いは、コンピュータにおいて、酸素発生手段４の動作の制御時に酸素「Ａｉｒ」キイ２０の他に、特定のキイの連続をキイワードとして入力して（例えば、「Ｓ」「Ａ」「Ｎ」「Ｓ」「Ｏ」、あるいは「Ｏ」「２」など）からでないと動作しないようにした所にある。このようにキイワードを設けることによって、特定の個人にしか使えない設定とすることができ、利用者の制限が可能である。また酸素の濃度や流量の設定も同様にキイボード７上からの操作で実行することが可能である。
【００２９】
また、キイボード７からの操作は、常時タイマーで監視されているので、一定時間キイ入力がなされないと停止することができ、席を離れている場合等の電力の無駄遣いを防止することができる。
【００３０】
図８は本発明の実施の形態１における酸素供給装置付きコンピュータの酸素発生手段４の他の例の構成図で、図示されていないコンピュータの基本的な部分は図１に示す構成と同じなので、これを利用して説明する。コンピュータは、タイマー手段２１で間欠駆動の時間をカウントし、スイッチ２２を操作することで間欠的に直流電源１３を入り切りしたり、酸素発生手段４の出口１８の蓋２３の開閉を制御することによって酸素の放出を制御するものである。従って、酸素発生手段４の出口１８より高濃度の酸素を常時供給するのでなく、蓋２３を間欠的に開閉して間欠的に供給することで、作業者９に刺激を与え、吸引の効果をさらに高める効能もある。
【００３１】
図９は本発明の実施の形態１における酸素供給装置付きコンピュータの他の例の構成図であって、ディスプレイ８の一実施例である。コンピュータは、ディスプレイ８上にスクリーンセイバー表示２４がされた時、酸素放出穴６から高濃度の酸素が放出されるように構成している。スクリーンセイバー表示２４は入力が一定期間以上中断されていることを意味するので、その時点で酸素が放出されることは使用者の疲れを癒すに大いに効果がある。
【００３２】
また、コンピュータはスクリーンセイバー表示２４が一定時間以上、継続動作すると使用者９がいなくなっている可能性が大きいので、酸素発生手段４を制御して酸素の放出が停止されるようにする。
【００３３】
図１０は本発明の実施の形態１における酸素供給装置付きコンピュータを示す他の例の構成図であって、ディスプレイ８の一実施例である。コンピュータのディスプレイ８には、人体検出手段としてのＣＣＤカメラ２５が設置され、使用者９がディスプレイ８の前にいるかどうかを監視しており、いないと判断した時には酸素発生手段４を制御して酸素放出穴６からの酸素放出を停止する構成にしてある。従って、これにより無駄な電力の減らすことが可能である。
【００３４】
以上のような酸素供給手段をコンピュータに設置することによって、コンピュータ作業での疲れを高濃度の酸素で低減することが可能である。
【産業上の利用可能性】
【００３５】
以上のように、本発明にかかる酸素供給装置付きコンピュータは、コンピュータに限ら
ずほかの機械装置に併設して、作業時の疲労回復などを行なう装置にも応用が可能である。
【図面の簡単な説明】
【００３６】
【図１】本発明の実施の形態１における酸素供給装置付きコンピュータの構成図
【図２】同実施の形態１における酸素供給装置付きコンピュータの酸素発生手段の断面図
【図３】同実施の形態１における酸素供給装置付きコンピュータの他の構成図
【図４】同実施の形態１における酸素供給装置付きコンピュータの酸素発生手段の酸素放出穴の他の構成図
【図５】同実施の形態１における酸素供給装置付きコンピュータの酸素発生手段の酸素放出穴の他の構成図
【図６】同実施の形態１における酸素供給装置付きコンピュータのキイボードの他の構成図
【図７】同実施の形態１における酸素供給装置付きコンピュータの酸素発生手段のキイボードの構成図
【図８】同実施の形態１における酸素供給装置付きコンピュータの酸素発生手段の他の構成図
【図９】同実施の形態１における酸素供給装置付きコンピュータの他の構成図
【図１０】同実施の形態１における酸素供給装置付きコンピュータの他の構成図
【図１１】従来の酸素供給装置の原理図
【符号の説明】
【００３７】
３  筐体
４  酸素発生手段
６  酸素放出穴
７  キイボード（入力手段）
８  ディスプレイ（表示手段）
１０  固体電解質膜
１１、１２  白金電極（電極）
１３  直流電源（電圧印加手段）
１９  マイク部（入力手段）
２１  タイマー手段
２５  ＣＣＤカメラ（人体検出手段）
【図１】
2007034454.tif 000003
【図２】
2007034454.tif 000004
【図３】
2007034454.tif 000005
【図４】
2007034454.tif 000006
【図５】
2007034454.tif 000007
【図６】
2007034454.tif 000008
【図７】
2007034454.tif 000009
【図８】
2007034454.tif 000010
【図９】
2007034454.tif 000011
【図１０】
2007034454.tif 000012
【図１１】
2007034454.tif 000013